(57)【要約】【課題】温度的な立ち上がりなどに優れ、使い勝手を大いに高めたオイルヒータを提供することを目的とする。【解決手段】電気ヒータ５で加熱された不燃性のオイルを循環させる循環路の少なくとも一部を構成し、前記オイルの熱を放熱部１を介して放散する複数の放熱循環路２に熱的に結合させて蓄熱手段９を配置し、この蓄熱手段９はケース７に潜熱型蓄熱材８を封入して構成するとともに、加熱手段１０で加熱するようにしたものである。したがって、この蓄熱手段９に蓄えた熱でオイルの補助的加熱を有効に行い、オイルヒータとしての温度的立ち上がりなどを良好化できる。【選択図】図２
2008267626.tif 000002
【特許請求の範囲】
【請求項１】
電気ヒータで加熱された不燃性のオイルを循環させる循環路と、この循環路の少なくとも一部を構成し、前記オイルの熱を放熱部を介して放散する複数の放熱循環路と、前記循環路に熱的に結合させて配置した蓄熱手段と、この蓄熱手段を加熱する加熱手段とを具備したオイルヒータ。
【請求項２】
蓄熱手段は潜熱型蓄熱材を使用した請求項１記載のオイルヒータ。
【請求項３】
放熱循環路の少なくとも一部に蓄熱手段を配置した請求項１または２記載のオイルヒータ。
【請求項４】
複数の放熱循環路の上下端を共通循環路に接続するとともに、前記下側の共通循環路にオイルと隔離した蓄熱手段を内設し、電気ヒータを蓄熱手段の近傍に位置させて、この蓄熱手段を加熱する加熱手段に兼用した請求項１記載のオイルヒータ。
【請求項５】
熱良導材からなるケースに蓄熱材を封入して構成した蓄熱手段を下側の共通循環路に配置した請求項４記載のオイルヒータ。
【請求項６】
収納ケースの外表面よりフィンを突設した請求項５記載のオイルヒータ。
【請求項７】
蓄熱手段を加熱する加熱手段は深夜電力により作動させるようにした請求項１記載のオイルヒータ。
【請求項８】
潜熱型蓄熱材は２０〜８０℃の範囲に融点をもつように設定した請求項２記載のオイルヒータ。
【発明の詳細な説明】
【技術分野】
【０００１】
本発明は電気ヒータにより加熱した不燃性オイルの熱を放熱部を介して放散し、主に対流作用で部屋の暖房を行うオイルヒータに関するものである。
【背景技術】
【０００２】
従来のこの種オイルヒータは、電気ヒータで加熱された不燃性のオイルを循環路を介して循環させ、この循環路の一部を構成する複数の放熱フィンをもつ放熱循環路から放熱して対流で部屋の暖房を行うようにしていた。
【０００３】
したがって、オイルヒータは室内空気などを一切汚さず、住環境面で非常に優れているところから、幼児とか老人向け暖房に主に利用されてきた。
【０００４】
また、不燃性のオイルの加熱温度が比較的に低く設定されるので、火傷などの虞がなく、安全面でも優れた暖房器具というのが定説であった（例えば、特許文献１、および特許文献２参照）。
【特許文献１】特開平９−６０９００号公報
【特許文献２】特開平１１−３７４８６号公報
【発明の開示】
【発明が解決しようとする課題】
【０００５】
しかしながら、この種オイルヒータの共通した課題は、使用開始からの温度的立ち上がりが遅いという点であった。
【０００６】
そのため、別の暖房手段、例えば、エアコン、燃焼型のストーブ、あるいは別の輻射型電気ストーブで一旦部屋を暖め、その後、その暖房温度を維持するのにオイルヒータが使用され場合が多く、オイルヒータがもつ特徴、つまり、住環境に優しい、安全性が高い、などの機能を十分に発揮させることができなかった。
【０００７】
また、厳寒の期間ではどうしても熱量が不足気味となりやすく、やはり別の暖房器具を補助的に使用する必要性が生じるものであった。
【０００８】
本発明はこのような従来の課題を解消したもので、立ち上がりに優れ、熱量も確保できる使い勝手のよいオイルヒータを提供することを目的とするものである。
【課題を解決するための手段】
【０００９】
前記目的を達成するために本発明のオイルヒータは、電気ヒータで加熱された不燃性のオイルを循環させる循環路と、この循環路の少なくとも一部を構成し、前記オイルの熱を放熱部を介して放散する複数の放熱循環路と、前記循環路に熱的に結合させて配置した蓄熱手段と、この蓄熱手段を加熱する加熱手段とを備えたもので、蓄熱手段で蓄えられ熱を利用して暖房の立ち上がりが速く、また、不燃性オイルからの放熱と蓄熱手段からの放熱とを同時に行うことで、十分な熱量が得られることとなる。
【発明の効果】
【００１０】
本発明によれば、オイルヒータとしての特長を活かしつつ暖房の立ち上がりを向上させ、併せて、厳寒の期間でも確実な暖房を可能としたもので、大いに使い勝手を高め得るものである。
【発明を実施するための最良の形態】
【００１１】
本発明は、電気ヒータで加熱された不燃性のオイルを循環させる循環路と、この循環路の少なくとも一部を構成し、前記オイルの熱を放熱部を介して放散する複数の放熱循環路と、前記循環路に熱的に結合させて配置した蓄熱手段と、この蓄熱手段を加熱する加熱手段とを具備したもので、これまでのオイルヒータの特長を活かしつつ暖房の立ち上がりを向上させ、しかも確実な暖房を可能とすることができるものである。
【００１２】
すなわち、暖房していない場合などに蓄熱手段を加熱手段で加熱して蓄熱しておきことで、例えば、暖房開始時に電気ヒータへ通電して不燃性のオイルの加熱を行うと同時に蓄熱手段から放熱することによりオイルの温度的立ち上がりが速やかになされる。それ故、暖房の立ち上がり特性も大いに向上できるものである。
【００１３】
また、暖房温度を高める場合にも、蓄熱手段からの放熱によって容易に実現できるものである。
【００１４】
蓄熱手段は、具体的には潜熱型蓄熱材を使用する。条件に応じてその融点を設定すれば、換言すると、条件に適合する融点をもつ潜熱型蓄熱材を使用すれば所望の暖房効果が得られるものである。
【００１５】
蓄熱手段の配置部位としては、放熱循環路の少なくとも一部とか、或いは、複数の放熱循環路の上下端を共通循環路に接続するとともに、前記下側の共通循環路にオイルと隔離した蓄熱手段を内設することが考えられ、特に、下側の共通循環路にオイルと隔離した蓄熱手段を内設したものでは、蓄熱手段を加熱する加熱手段として電気ヒータを兼用できることとなる。
【００１６】
オイルと隔離して蓄熱手段を配置するには、例えば、熱良導材からなるケースに蓄熱材を封入して下側の共通循環路に配置すればよい。そして、熱伝授を良好なものとするために、望ましくは、ケースの外表面よりフィンを突設する。
【００１７】
蓄熱手段を加熱する加熱手段は深夜電力により作動させるのが好ましく、また、潜熱型蓄熱材を使用する場合は、２０〜８０℃の範囲に融点をもつように設定する。
【００１８】
以下本発明の実施の形態について、図面を参照して説明する。なお、この実施の形態により本発明が限定されるものではない。
【００１９】
（実施の形態１）
図１，２において、縦方向に配列された複数のフィン状の放熱部１にはそれぞれ複数列の放熱循環路２が形成されており、横方向の上下共通循環路３，４にそれら放熱循環路２の上下端が接続連通してある。そして、これら放熱循環路２、上下共通循環路３，４に不燃性のオイルが充填してある。
【００２０】
したがって、下部共通循環路４に内設した電気ヒータ５に通電することにより加温された同下部共通循環路４のオイルは対流作用で放熱部１の放熱循環路２を上昇して上部共通循環路３に達し、その過程でオイルがもつ熱はフィン状の放熱部１から放熱される。
【００２１】
放熱で温度低下したオイルは、比重が大となって放熱循環路２を下降して再度下部共通循環路４に還流して電気ヒータ５で加熱される。このようなオイルの循環流動で部屋の空気が対流で暖められ暖房に供されることとなる。
【００２２】
前記放熱部１の一側部位にはコントロールボックス６が配設してあり、ここに、運転発
停などのスイッチ、暖房時間などを制御するタイマー、および温度調整部が設けてある。
【００２３】
熱良導材製のケース７に蓄熱材８を封入して構成された蓄熱手段９が放熱部１の少なくとも一つに接合して設けられている。この蓄熱材８はケース７の外面に取付けた電気ヒータなどの加熱手段１０で加熱されて蓄熱されるように設定してある。
【００２４】
上記の構成において、加熱手段１０は、暖房を行っていない、例えば深夜に動作して蓄熱材８を加熱し、その熱を蓄える。
【００２５】
このとき、電気ヒータ５には通電されていないところから、下部共通循環路４→放熱循環路２→上部共通循環路３→放熱循環路２→下部共通循環路４に至るオイル循環は抑制されており、よって、蓄熱材８から放熱循環路２への放熱も制限されたものとなり、その蓄熱材８への蓄熱が十分に行われる。
【００２６】
次に、暖房の開始にあたって電気ヒータ５を動作（通電）させると、対流でオイル循環がなされ、その循環に対応して蓄熱材８に蓄えられていた熱がオイルに伝達されることとなる。
【００２７】
そのため、オイルの熱的な立ち上がりが速くなり、その分、暖房も時間をかけず行うことができるものである。
【００２８】
蓄熱材８の熱容量が大きいものであれば、電気ヒータ５の熱に蓄熱材８の熱を加えてオイルの温度を一段高めことも可能で、この場合には暖房温度の設定が高くできるものである。
【００２９】
また、例えば深夜時間帯の前段で蓄熱材８への蓄熱を行い、後段でその蓄熱材８よりオイルに対して放熱することでそのオイルの保温を行い、電気ヒータ５の加熱に伴い同オイルの温度立ち上がりを良くすることも考えられるものである。
【００３０】
蓄熱材８の蓄熱を確実なものとするため、加熱手段１０が動作しているときには放熱部１との熱的関係をなくすことも考えられる。具体的には、加熱手段１０の動作と連動して機械的手段を用いて蓄熱材８を放熱部１から一時的に離反させる。
【００３１】
前記蓄熱材８は潜熱型である方が望ましい。その理由は潜熱型であれば種々の融点のものが存在し、任意に蓄熱温度を設定できるからである。そして、潜熱型蓄熱材としては以下表１のものが挙げられる。
【００３２】
【表１】
2008267626.tif 000003
【００３３】
一般家庭の実際の部屋暖房を考慮した場合、２０〜８０℃の範囲に融点をもつ潜熱型蓄熱材を使用するのが望ましい。
【００３４】
（実施の形態２）
図３は本発明の実施の形態２を示し、便宜上、図１，２と同作用を行う構成については同一符号を付し、詳細な説明は実施の形態１のものを援用する。
【００３５】
実施の形態１と異なるところは、下部共通循環路４の内部にあって、電気ヒータ５と近接して熱良導材製のケース７に蓄熱材８を封入して構成された蓄熱手段９を配置したものである。そして、前記ケース７の表面からはフィン１１が一体に突設してある。
【００３６】
以上の構成において、蓄熱手段９は電気ヒータ５の加熱で蓄熱が行われるから、実施の形態１のような加熱手段１０を別設しなくてもよく、また、フィン１１は吸熱用として作用するものである。
【００３７】
さらに、蓄熱手段９からオイルへ熱を伝える場合には、放熱用として機能し、拡大表面積によって熱伝達が的確となる。
【００３８】
なお、蓄熱材８の蓄熱を確実なものとするため、蓄熱材８の蓄熱動作時には下部共通循環路４と各放熱部１との連通を断つことが考えられる。具体的には、蓄熱材８の蓄熱動作と連動して機械的手段を用いて各放熱部１側を遮蔽する。
【産業上の利用可能性】
【００３９】
以上のように、本発明に係るオイルヒータは、暖房の立ち上がりを向上させ、併せて、厳寒の期間でも確実な暖房を可能としたもので、一般家庭用暖房器具としての用途に最適
なものである。
【図面の簡単な説明】
【００４０】
【図１】本発明の実施の形態１におけるオイルヒータの側面図
【図２】同オイルヒータの一部を切断した側面図
【図３】本発明の実施の形態２におけるオイルヒータの要部拡大断面図
【符号の説明】
【００４１】
１  放熱部
２  放熱循環路
３，４  共通循環路
５  電気ヒータ
７  ケース
８  蓄熱材
９  蓄熱手段
１０  加熱手段
１１  フィン
【図１】
2008267626.tif 000004
【図２】
2008267626.tif 000005
【図３】
2008267626.tif 000006